(57)【要約】  モータ付き粘性材料ディスペンサ１、特にコーキング・ガンが、円筒形のピニオン・ギアを有する駆動ユニット１１と、粘性材料を収容する少なくとも１つの容器を受けるための駆動ユニット１１の前面に取付け可能なホルダ１５と、少なくとも１つのピストン１９と、及び円筒形のピニオン・ギアと噛み合って前記ピストン１９を駆動する少なくとも１つのラック１７とを備える。駆動ユニット１１の前面の反対側の後面に取付け可能である後方部品５１、及び駆動ユニット１１の前面に取付け可能であるガイド部品４５が、ラック１７が中を通って延びるガイド開口５５を備え、それによってモータ付き粘性材料ディスペンサ１が組み立てられた場合に、ガイド開口５５が円筒形のピニオン・ギアに対するラック１７の位置を決定する。
2015506272.tif 000002
【特許請求の範囲】
【請求項１】
モータ付き粘性材料ディスペンサ（１、１ａ）、特にコーキング・ガンであって、円筒形のピニオン・ギア（３１）を有する駆動ユニット（１１）と、粘性材料を収容する少なくとも１つの容器を受けるための前記駆動ユニット（１１）の前面に取付け可能なホルダ（１５、１５ａ）と、少なくとも１つのピストン（１９、１９ａ）と、前記円筒形のピニオン・ギア（３１）と噛み合って前記ピストン（１９、１９ａ）を駆動する少なくとも１つのラック（１７、１７ａ）とを備えるモータ付き粘性材料ディスペンサ（１、１ａ）において、後方部品（５１、５１ａ）が前記前面の反対側の前記駆動ユニット（１１）の後面に取付け可能であり、ガイド部品（４５、４５ａ）が前記駆動ユニット（１１）の前記前面に取付け可能であり、前記ガイド部品（４５、４５ａ）及び前記後方部品（５１、５１ａ）が、前記ラック（１７、１７ａ）が中を通って延びるガイド開口（５５）を備え、前記モータ付き粘性材料ディスペンサ（１、１ａ）が組み立てられた場合に、前記ガイド開口（５５）が前記円筒形のピニオン・ギア（３１）に対する前記ラック（１７、１７ａ）の位置を決定することを特徴とする、ディスペンサ。
【請求項２】
前記ガイド部品（４５、４５ａ）が前記ホルダ（１５、１５ａ）の一部分であることを特徴とする、請求項１に記載のディスペンサ。
【請求項３】
前記駆動ユニット（１１）が、前記少なくとも１つのラック（１７、１７ａ）を受け入れる貫通チャネル（３５）を備え、前記貫通チャネル（３５）が、円筒形のピニオン・ギア（３１）の軸（３９）の方向に前記ラック（１７）が側方へ変位することを可能にする幅を有することを特徴とする、請求項１又は２に記載のディスペンサ。
【請求項４】
前記ガイド部品（４５、４５ａ）及び前記後方部品（５１、５１ａ）が、機械的な留め具（４３、４９）によって前記駆動ユニットに固定されていることを特徴とする、請求項１から３までのいずれか一項に記載のディスペンサ。
【請求項５】
より多くのピストン（１９）及びより多くのラック（１７）を備え、各ラック（１７）が、前記ガイド部品（４５）及び前記後方部品（５１）の開口（５５）によって案内されることを特徴とする、請求項１から４までのいずれか一項に記載のディスペンサ。
【請求項６】
少なくとも１つの案内ロッド（２３）が前記少なくとも１つのラック（１７ａ）に平行に延びることを特徴とする、請求項１から５までのいずれか一項に記載のディスペンサ。
【請求項７】
前記ピニオン・ギア（３１）を駆動する電気モータ（２７）を備えることを特徴とする、請求項１から６までのいずれか一項に記載のディスペンサ。
【請求項８】
前記電気モータ（２７）にエネルギー供給するためのバッテリー（１３）を特徴とする、請求項７に記載のディスペンサ。
【請求項９】
前記ピニオン・ギア（３１）が真っ直ぐな歯（３３）を有することを特徴とする、請求項１から８までのいずれか一項に記載のディスペンサ。
【発明の詳細な説明】
【技術分野】
【０００１】
本発明は、モータ付き粘性材料ディスペンサ、詳細には、コーキング・ガンに関し、このディスペンサは、円筒形のピニオン・ギアを有する駆動ユニットと、粘性材料を収容する少なくとも１つの容器を受けるための駆動ユニットの前面に取付け可能なホルダと、少なくとも１つのピストンと、円筒形のピニオン・ギアと噛み合って前記ピストンを駆動する少なくとも１つのラックとを備える。
【背景技術】
【０００２】
米国特許第６８８９８７２号は、上記の技術分野のディスペンサを開示し、ここでは、２つのラックが、単一の細長い円筒形のピニオン・ギアと噛み合っていて２成分の粘性材料を分注し、各成分は、ソーセージのパッケージングなど、個別の容器の中に用意されている。このディスペンサの駆動ユニットのハウジングは、２つのラックの両方を受ける２つのチャネルを備える。これは、ラック間の距離が異なり、又はラックの数が異なる、種々のタイプのディスペンサが作製される場合、各タイプのディスペンサに対して専用の駆動ユニットが作製されなければならないという製造上の観点から不利点を有する。
【先行技術文献】
【特許文献】
【０００３】
【特許文献１】米国特許第６８８９８７２号
【発明の概要】
【発明が解決しようとする課題】
【０００４】
本発明の目的は、この問題を克服することである。
【課題を解決するための手段】
【０００５】
この目的は、上記の技術分野のモータ付き粘性材料ディスペンサによって実現され、後方部品が駆動ユニットの前面の反対側の後面に取付け可能であり、ガイド部品が駆動ユニットの前面に取付け可能であり、前記ガイド部品及び前記後方部品が、ラックが中を通って延びるガイド開口を備え、モータ付き粘性材料ディスペンサが組み立てられた場合に、前記ガイド開口が円筒形のピニオン・ギアに対するラックの位置を決定する。これによって、ピストンとラックがより多く存在する場合に、異なる数のピストン及びラック、並びにピストンとラックの間に異なる間隔を有する様々なディスペンサを製造するために、１つのタイプ又は構成の駆動ユニットを使用することができるということが達成される。したがって、異なるタイプのディスペンサを製造するために作製及びストックされる必要のある種々の部品の数が低減され、それによって全体的により経済的な製造を可能にする。
【０００６】
一実施例では、ガイド部品はホルダの一部分である。
【０００７】
一実施例では、駆動ユニットは、少なくとも1つのラックを受け入れる貫通チャネルを備え、前記貫通チャネルは、円筒形のピニオン・ギアの軸の方向にラックが側方へ変位することを可能にする幅を有する。これにより、専用のガイド部品及び後方部品によって、最小距離と最大距離の範囲でラック間の距離を無段階で選択することが可能になる。
【０００８】
一実施例では、ガイド部品及び後方部品は、ネジなどの機械的な留め具によって駆動ユニットに固定されている。これにより、ディスペンサの単純な組み立てが可能になる。
【０００９】
一実施例では、ディスペンサは、より多くのピストン及びより多くのラックを備え、各ラックがガイド部品及び後方部品の開口によって案内される。ガイド部品及び後方部品は、ラックごとに個別の開口を備えていてもよく、又は単一の開口が陥凹部に設けられてラックを確実に案内してもよい。
【００１０】
一実施例では、少なくとも１つの案内ロッドが少なくとも１つのラックに平行に延びる。そのような案内ロッドは、ピストン又はピストンの一部分を案内及び駆動することを促進することができる。
【００１１】
一実施例では、ディスペンサは、ピニオン・ギアを駆動するための電気モータを備え、別の実施例では、電気モータにエネルギー供給するためにバッテリーが設けられる。
【００１２】
一実施例では、ピニオン・ギアは真っ直ぐな歯を有する。これによって、ピニオン・ギアの軸に平行な方向のラックへの側方の力がなくなる。
【００１３】
以下に、添付の図面を参照して、実施例の実例として本発明をさらに詳細に説明する。
【図面の簡単な説明】
【００１４】
【図１】前方及び上部から斜め方向のコーキング・ガンの一実施例を示す図である。
【図２】後方及び上部から斜め方向のコーキング・ガンを示す図である。
【図３】前方及び上部から斜め方向のコーキング・ガンの第２の実施例を示す図である。
【図４】後方及び上部から斜め方向の図３のコーキング・ガンを示す図である。
【図５】前方及び上部から斜め方向の駆動ユニットを示す図である。
【図６】後方及び上部から斜め方向の駆動ユニットを示す図である。
【図７】正面及び上部から斜め方向のホルダの一実施例を示す図である。
【図８】後方及び上部から斜め方向のホルダを示す図である。
【図９】水平に見た正面から斜め方向の駆動ユニットの部品を示す図である。
【図１０】２つのラックを有する駆動ユニットの上方からの第１の図を示す図である。
【図１１】図１０の線ＸＩ−ＸＩに沿った断面図である。
【図１２】２つのラックを有する駆動ユニットの上方からの第２の図を示す図である。
【図１３】図１２の線ＸＩＩＩ−ＸＩＩＩに沿った断面図である。
【図１４】１つのラックを有する駆動ユニットの上方からの第３の図を示す図である。
【図１５】図１４の線ＸＶ−ＸＶに沿った断面図である。
【発明を実施するための形態】
【００１５】
本説明を単純にする目的で、「上」、「下」、「前方」、及び「後方」の用語は、本発明によるディスペンサの実施例の様々な部品及び構成要素の相互の関係を述べるために用いられる。使用の際に、ディスペンサは、通常、ディスペンサによって行われる任意の慣行的な作業にしたがって上下に向けられ、また旋回されることを当業者は理解するであろう。
【００１６】
図１及び図２は、多くの場合コーキング・ガンと呼ばれる種類の一実施例でのモータ付き粘性材料ディスペンサ１を示す。ディスペンサ１は、ハウジング３を備え、ハウジング３の一部分は、内部の部品を示すために除外されており、前記ハウジングには、ディスペンサを作動させて材料を分注するために作業者によって把持されるハンドル５が設けられる。ハンドルにおいて、ディスペンサは、トリガ７及び速度制御ダイアル９を備える。ハウジング３は、駆動ユニット１１を収容し、その一部分は、たとえば図５、図６、及び図９にも示される。ハウジング３の底部おいて、充電可能なバッテリーパック１３が、可搬式の電気器具に通常の方法で取り付けられている。或いは、ディスペンサには、たとえば照明配電線などの、電源と接続するためのコードが設けられていてもよい。
【００１７】
ハウジング３及び駆動ユニット１１の前端部には、分注される粘性材料の２つの容器のためのホルダ１５が装着される。したがって、ホルダ１５は、ディスペンサ１の前端部を画成する。図７及び図８は、ホルダ１５をそれ自体で示す。粘性材料の容器は、たとえばカートリッジ・タイプ又はソーセージ・タイプの任意の種類のものとすることができ、それらは、当技術分野で知られているタイプである。
【００１８】
図３及び図４は、駆動ユニット１１を含むハウジング３と同一のハウジングを備える同様のディスペンサ１ａを示し、したがって、それらは、同じ参照番号３及び１１によって表される。しかし、ディスペンサ１ａのホルダ１５ａは、１つのみの粘性材料の容器を保持するように適合されている。
【００１９】
同時に分注される粘性材料の２つの容器に適合されていることにより、ディスペンサ１（図１及び図２）は２つのラック１７を備え、熟練者によってよく知られているように、その両方が、ぞれぞれの前端部で粘性材料を分注するために、粘性材料を駆動するためのピストン１９を担持している。ラック１７は、下記にさらに説明されるように駆動ユニット１１を通って延び、前端部の反対側の後端部で、両方のラック１７が第２のハンドル２１に取り付けられている。
【００２０】
粘性材料の１つのみの容器に適合されていることにより、ディスペンサ１ａは、前端部に同軸ピストン１９ａを担持する１つのみのラック１７ａを備える。前端部の反対側の後端部において、ラック１７ａは、ディスペンサ１のときのように、第２のハンドル２１ａを担持する。案内ロッド２３は、ピストン１９ａと第２のハンドル２１ａとの間にラック１７ａと平行に延びる。ピストン１９ａは、ラック１７ａの端部によって構成される第１の中央ピストン部品１９ａ’、及び、案内ロッド２３によって支持される第２の環状のピストン部品１９ａ’’を備える。第２のハンドル２１ａによって接続されていることにより、ラック１７ａ及び案内ロッド２３、したがって、第１及び第２のピストン部品１９ａ’及び１９ａ’’は同時に移動する。図３及び図４に示された実施例のディスペンサは、粘性材料の１つのみの成分を含む粘性材料の容器、及び、同軸容器と呼ばれる粘性材料の容器に使用され得り、同軸容器は、容器に同軸に配列され容器の内側の環状の仕切りによって分離された粘性材料の２つの成分を収容する。
【００２１】
特に図５、図６、及び図９から図１５を参照すると、駆動ユニット１１は、電気モータ２７を収容する駆動ユニットハウジング２５を備え、電気モータ２７は、ギア・トレイン２９を通して、真っ直ぐな歯３３を備える円筒形のピニオン・ギア３１を駆動する。駆動ユニットハウジング２５は、ラック１７、１７ａ及び任意の案内ロッド２３を受け入れるための貫通チャネル３５を備える。貫通チャネルは、駆動ユニット１１の前部から後部に長手方向３７に延び（図１０を参照されたい）、円筒形のピニオン・ギアは、長手方向に垂直に延びる回転軸３９を有する。ピニオン・ギア３１の歯３３は、貫通チャネル３５内に延び、貫通チャネル３５に受け入れられた任意のラック１７ａ又はラック１７と噛み合う。
【００２２】
駆動ユニットは、その前端部に、ホルダ１５、１５ａ及びガイド部品４５、４５ａを装着するためのネジ４３などの機械的な留め具を受ける、ネジ穴４１などの８個の穴を有する。本明細書に開示された実施例では、ガイド部品４５、４５ａは、ホルダ１５、１５ａの一部分である。駆動ユニットは、その後端部に、後方部品５１、５１ａを装着するためのネジ４９などの機械的な留め具を受ける、ネジ穴４７などの２個の穴を有する。本実施例では、ネジ穴４７は、ブリッジ部品５３の中に設けられており、ブリッジ部品５３は、貫通チャネル３５の後方開口部に橋を架け、それによって、実際的な見地から、貫通チャネル３５を３つのサブチャネル、すなわち、左サブチャネル３５ａ、中央サブチャネル３５ｂ、及び右サブチャネル３５ｃに分割する。特に、左サブチャネル３５ａ及び右サブチャネル３５ｃのそれぞれは、ラック１７の幅よりも大きな幅を有し、したがって、ラックが、左サブチャネル３５ａ及び右サブチャネル３５ｃの内側で回転軸３９の方向に側方にシフト可能になる。中央サブチャネル３５ｂは、単一の中央のラック１７ａのみを収容するように意図されているので、ラックを受け入れるのに必要なものよりも広い必要はない。左サブチャネル３５ａ及び右サブチャネル３５ｃは、最小相互距離と最大相互距離との間でラック１７が変位することを可能にする幅を有し、ディスペンサのラック１７が、粘性材料の２つの成分を同時に分注することが意図される。したがって、図１０及び図１１は、２つのラック１７が左サブチャネル３５ａ及び右サブチャネル３５ｃの中に最大相互距離で位置決めされた状態の駆動ユニット１１を示し、図１２及び図１３は、２つのラック１７が左サブチャネル３５ａ及び右サブチャネル３５ｃの中に最小相互距離で位置決めされた状態の駆動ユニット１１を示し、図１４及び図１５は、中央サブチャネル３５ｂの中に位置決めされた単一のラック１７ａを示す。
【００２３】
或いは、ネジ穴４７は、ネジ穴４１のように貫通チャネルの脇に位置決めされ、ブリッジ部品５３は省くことが可能であり、単一の広い貫通チャネルがもたらされる。
【００２４】
ガイド部品４５、４５ａ及び後方部品５１、５１ａは開口５５を有し、開口５５を通ってそれぞれのラック１７、１７ａが延び、開口５５が、回転軸３９の方向に側方にラック１７、１７ａを位置決めする。開口５５は、図１から図８に示されるように、単一のラックに合うように形状及び寸法を決められ得る。或いは、開口には、切込み及び／又は陥凹部が設けられて、１つ又は複数のラックをいくつかの固定位置で開口に受け入れ可能にし得る。
【００２５】
分注される粘性材料は、通常、１つの容器、又は１組の容器（２成分の材料）で、粘性材料の性質及びその意図された分注の方法に従って送り出される。粘性材料を分注するディスペンサは、その容器、又はその組の容器に適合する必要があり、したがって、異なる容器又は異なる組の容器に適合するためには異なるディスペンサが作製される。
【００２６】
所与の容器又は所与の組の容器に適合された本発明によるディスペンサを作製するために、駆動ユニット１１を有するハウジング３が備えられ、対象となる容器又は対象となる組の容器に適合されたホルダ１５、１５ａが備えられ、ガイド部品４５、４５ａがホルダ１５、１５ａの一部分として備えられ、又はその代わりにガイド部品がホルダの一部分でなければ、個々のガイド部品が備えられ、後方部品５１、５１ａが備えられ、１つ又は複数のラック１７、１７ａ及びピストン１９、１９ａ、及び必要があれば案内ロッド２３が備えられる可能性があり、第２のハンドル２１、２１ａが備えられ、部品が組み立てられる。
【００２７】
いくつかの部品は、作製されるディスペンサ専用にされる必要があり得ることを理解されたい。特に、ガイド部品４５、４５ａ及び後方部品５１、５１ａは、ラック１７ａ又はラック１７を意図される側方の位置に位置決めすることを可能にする１つ又は複数の開口５５を備えなくてはならない。しかし、少なくとも駆動ユニット１１、及び本実施例では駆動ユニット１１を含むハウジング３全体が、分注される材料の異なる容器又は異なる組の容器に適合された、ある範囲の種々のディスペンサに使用可能な標準的な構成要素である。したがって、本発明によれば、様々な駆動ユニットを作製する必要がなくなり、そのことは、駆動ユニットがディスペンサの単一の最も複雑な構成要素であることから、大きな利点である。
【図１】
2015506272.tif 000003
【図２】
2015506272.tif 000004
【図３】
2015506272.tif 000005
【図４】
2015506272.tif 000006
【図５】
2015506272.tif 000007
【図６】
2015506272.tif 000008
【図７】
2015506272.tif 000009
【図８】
2015506272.tif 000010
【図９】
2015506272.tif 000011
【図１０】
2015506272.tif 000012
【図１１】
2015506272.tif 000013
【図１２】
2015506272.tif 000014
【図１３】
2015506272.tif 000015
【図１４】
2015506272.tif 000016
【図１５】
2015506272.tif 000017
【国際調査報告】
2015506272.tif 000018
2015506272.tif 000019